(57)【特許請求の範囲】
【請求項１】
原水タンクと拍動タンクとの間に、該拍動タンクの容量を越えた水を前記原水タンクへ戻す管が設けられ、ソーラーパネルから電力の供給を受けて動作する原水供給ポンプを備える自動潅水装置において、前記拍動タンク内に貯留した水を、点滴チューブを介して栽培ベッドに供給する自動潅水方法であって、
前記栽培ベッドからの排液を貯留する排液タンク内の水量を検出し、その検出結果に基づき、前記拍動タンクから点滴チューブへの給液を制御して栽培ベッドに供給し、
前記原水タンクから前記拍動タンクへの水の供給を、前記原水供給ポンプにより行うことを特徴とする自動潅水方法。
【請求項２】
前記排液タンク内の水量は、高水位であることを検出する満水側スイッチと、低水位であることを検出する空側スイッチからの信号に基づき検出し、前記空側スイッチが水位低下を検出した場合に前記拍動タンクから栽培ベッドへの水供給を行い、前記満水側スイッチが高水位を検出したＯＮの場合に前記拍動タンクから栽培ベッドへの水供給を停止することを特徴とする請求項１に記載の自動潅水方法。
【請求項３】
拍動タンク内に貯留した水を、点滴チューブを介して栽培ベッドに供給する自動潅水装置であって、
前記栽培ベッドからの排液を貯留する排液タンクと、
該排液タンク内に貯留された排液の水位を検出する水位検出手段と、
該水位検出手段での検出結果に基づき、前記拍動タンク内に貯留した水を、点滴チューブを介して栽培ベッドに供給する給液手段と、
前記拍動タンクへ供給すべき水を貯留する原水タンクと、
ソーラパネルから電力の供給を受けて動作し、前記原水タンクから拍動タンクへ水を供給する原水供給ポンプと、
前記拍動タンクと原水タンクとの間に設けられ、該拍動タンクの容量を越えて前記原水供給ポンプから拍動タンクへ送り込まれた水を前記原水タンクへ戻す管と、を有することを特徴とする自動潅水装置。
【請求項４】
前記水位検出手段は、前記排液タンク内の水量が高水位であることを検出する満水側スイッチと、低水位であることを検出する空側スイッチとを有し、
前記給液手段は、前記水位検出手段からの信号に基づき検出し、前記空側スイッチが水位低下を検出したＯＮの場合に前記拍動タンクから栽培ベッドへの水供給を行い、また、前記満水側スイッチが高水位を検出したＯＮの場合に前記拍動タンクから栽培ベッドへの水供給を停止することを特徴とする請求項３に記載の自動潅水装置。
【発明の詳細な説明】
【技術分野】
【０００１】
本発明は、点滴潅水を行う自動潅水方法及びその装置に係り、作物の生育段階に応じた細かな給水を可能とする技術に関する。
【背景技術】
【０００２】
温暖寡雨地域において高収益及び安定した園芸作物の生産を実現するためには、低コストで省力的な節水型潅水・施肥システムの開発が求められている。
一般的な日射制御型の拍動自動潅水装置は、ナスやキク等の露地野菜・花栽培に利用され、全国に広く普及しているが、課題として、施設園芸における高設栽培など、培地量が比較的少ない栽培条件において、生育に応じた給水量制御を高精度で行う必要がある。
【０００３】
このような自動潅水装置としては、以下の特許文献１〜３が知られている。
特許文献１に示される「間欠式自動潅水装置」では、ソーラーパネルで発生した電力でモーターポンプを駆動して、水源の水を汲み上げて貯水タンクに貯水した後、貯水タンク内の水を、排水手段によりチューブ潅水系に連続的に排水する。そして、このようなサイクルを日射量に比例して繰り返すことで、チューブ潅水系を通じて、水源の水を潅水場所へ案内する。
【０００４】
また、上記特許文献１以外にも、特許文献２〜４に示される潅水装置、非特許文献１に示される「ソーラーパネルを利用した養液栽培装置」が知られている。
【先行技術文献】
【特許文献】
【０００５】
【特許文献１】特開２００４−２０１５８３号公報
【特許文献２】特開平８−２３８０３１号公報
【特許文献３】特開平９−１８９２８７号公報
【特許文献４】特開２００７−２４４２４２号公報
【非特許文献】
【０００６】
【非特許文献１】太陽光発電を利用したトマトの小電力型養液栽培装置（２００４）平成１５年度近畿中国四国農業研究成果情報、京都府農業総合研究所
【発明の概要】
【発明が解決しようとする課題】
【０００７】
特許文献１に示される自動潅水装置では、ソーラーパネルで駆動される小流量のソーラーポンプで日射量に応じた量で揚水し、貯水タンク（拍動タンク）内に一定量貯めて一気に排出する少量多頻度潅水を行っている。この貯水クンクには水位センサが取り付けられており、水位スイッチの満水側がＯＮになると、バルブ制御装置により潅水配管の途中に付けられた電磁弁が閉いて点滴チューブに自動的に給水され、一方、水位スイッチの空側がＯＮになると、電磁弁が閉じられ再び貯水タンクに水が貯められ、日射がある間は、以降同様の動作を繰り返して間欠的に潅水を行うようにしている。
【０００８】
ところで、潅水において、養液土耕など作物が生育するのに十分な培地量が確保できる場合には、生育に応じた潅水量の変動はある程度の幅があっても大丈夫だが、高設栽培など培地量が少ない栽培様式では高い精度で給水量設定を行う必要がある。
しかしながら、上記自動潅水装置は、ソーラーパネルで駆動される小流量のソーラーポンプで日射量に応じた量で揚水し、貯水タンク内の水位スイッチの満水側がＯＮになると、電磁弁が閉いて点滴チューブに自動的に給水される方式、すなわち、日照量に応じて給水量が調整される方式であるので、培地に十分な水分があるのに追加して給水される、又は培地の水分が不足していても給水がなされない恐れもある。また、高設栽培では、作物に萎れや生育の停滞を生じさせないよう、給水量の１０％程度の排液が出るよう余分に給水することが望ましいとされ、作物の生育段階に応じて給水量を段階的に増やしていく必要があるが、上記自動潅水装置では、このような細かい給水制御ができないという問題があった。
【０００９】
この発明は、上述した事情に鑑みてなされたものであって、日照量に対応しながらも、簡易な構成及び方式により高設栽培での作物の生育状況に応じた最適量の給水を行ない、かつ排液も最小限に抑えることができる低コストの自動潅水方法及びその装置を提供するものである。
【課題を解決するための手段】
【００１０】
上記課題を解決するために、この発明は以下の手段を提案している。
すなわち、本発明は、拍動タンク内に貯留した水を、点滴チューブを介して栽培ベッドに供給する自動潅水方法に組み込み、前記栽培ベッドからの排液を貯留する排液タンク内の水量を検出し、その検出結果に基づき、前記拍動タンク内に貯留した水を、点滴チューブを介して栽培ベッドに供給することを特徴とする。
【００１１】
そして、本発明の自動潅水方法によれば、栽培ベッドからの排液を貯留する排液タンク内の水量を検出し、その検出結果に基づき、拍動タンク内に貯留した水を、点滴チューブを介して栽培ベッドに供給する。すなわち、日照量に対応しながらも、高設栽培での作物の生育状況に応じた栽培ベッドからの排液量の検出に基づき、該栽培ベッドへの最適な給水を行うことが可能となる。また、栽培ベッドからの排液を貯留する排液タンク内の水量を検出し、その検出結果に基づき、拍動タンク内に貯留した水を、点滴チューブを介して栽培ベッドに供給するという簡易な方式により、高設栽培での作物の生育状況に応じた最適量の給水を行なうことができ、かつ排液も最小限に抑えることができ、低コストな栽培管理が可能となる。
また、前記排液タンク内の水量は、高水位であることを検出する満水側スイッチと、低水位であることを検出する空側スイッチからの信号に基づき検出し、空側スイッチが水位低下を検出したＯＮの場合に前記拍動タンクから栽培ベッドへの水供給を行い、また、満水側スイッチが高水位を検出したＯＮの場合に前記拍動タンクから栽培ベッドへの水供給を停止するようにしたので、これら満水側スイッチ及び空側スイッチを適宜、最適な高さ位置に設けることで、排液を最小限に抑える給水管理も可能となり、この点においても低コスト化を図ることができる。
また、前記拍動タンクへの水供給は、ソーラーパネルからの電力供給により動作する原水給液ポンプにより行うことで、外部からの電力供給も不要な構成も選択でき、配線といった設備面での構造簡素化も可能となる。
【００１２】
また、本発明は、拍動タンク内に貯留した水を、点滴チューブを介して栽培ベッドに供給する自動潅水装置であって、前記栽培ベッドからの排液を貯留する排液タンクと、該排液タンク内に貯留された排液の水位を検出する水位検出手段と、該水位検出手段での検出結果に基づき、前記拍動タンク内に貯留した水を、点滴チューブを介して栽培ベッドに供給する給液手段と、を有することを特徴とする。
【００１３】
本発明の自動潅水装置によれば、栽培ベッドからの排液を貯留する排液タンクと、該排液タンク内に貯留された排液の水位を検出する水位検出手段と、該水位検出手段での検出結果に基づき、前記拍動タンク内に貯留した水を、点滴チューブを介して栽培ベッドに供給する給液手段と、を有するように構成したので、水位検出手段により、栽培ベッドからの排液を貯留する排液タンク内の水量を検出し、その検出結果に基づき、給液手段により、拍動タンク内に貯留した水を、点滴チューブを介して栽培ベッドに供給することができる。すなわち、本発明では、排液タンク、水位検出手段、給液手段という構成により、日照量に関係なく、高設栽培での作物の生育状況に応じた栽培ベッドからの排液量の検出に基づき、該栽培ベッドへの最適な給水を行うことが可能となる。また、栽培ベッドからの排液を貯留する排液タンク内の水量を検出し、その検出結果に基づき、拍動タンク内に貯留した水を、点滴チューブを介して栽培ベッドに供給するという簡易な構成により、高設栽培での作物の生育状況に応じた最適量の給水を行なうことができ、かつ排液も最小限に抑えることができ、低コストな栽培管理が可能となる。
また、前記水位検出手段は、前記排液タンク内の水量が高水位であることを検出する満水側スイッチと、低水位であることを検出する空側スイッチとを有し、前記給液手段は、前記水位検出手段からの信号に基づき検出し、前記空側スイッチが水位低下を検出したＯＮの場合に前記拍動タンクから栽培ベッドへの水供給を行い、また、前記満水側スイッチが高水位を検出したＯＮの場合に前記拍動タンクから栽培ベッドへの水供給を停止するように構成したので、これら水位検出手段の満水側スイッチ及び空側スイッチを適宜、最適な高さ位置に設けることで、排液を最小限に抑える給水管理も可能となり、この点においても低コスト化を図ることができる。
また、前記拍動タンクから栽培ベッドへの水供給は、ソーラーパネルからの電力供給により動作する原水給液ポンプにより行うことで、外部からの電力供給も不要な構成も選択でき、配線といった設備面での構造簡素化も可能となる。
【発明の効果】
【００１４】
本発明によれば、日照量に応じた量の水を栽培ベッドに供給するとともに、高設栽培での作物の生育状況に応じた栽培ベッドからの排液量の検出に基づき、過剰な給水を判別して給水を停止することにより、該栽培ベッドへの最適な給水を行うことが可能となる。また、栽培ベッドからの排液を貯留する排液タンク内の水量を検出し、その検出結果に基づき、拍動タンク内に貯留した水を、点滴チューブを介して栽培ベッドに供給するという簡易な方式により、高設栽培での作物の生育状況に応じた最適量の給水を行なうことができ、かつ排液も最小限に抑えることができ、低コストな栽培管理が可能となる。
【図面の簡単な説明】
【００１５】
【図１】拍動タンク及び排液タンク内の水が低水位（空の状態を含む）になっている状態を示す概略構成図である。
【図２】拍動タンク及び排液タンク内の水が高水位（満水の状態を含む）になっている状態を示す概略構成図である。
【発明を実施するための形態】
【００１６】
本発明に関する自動潅水方法及びその装置の実施形態について、図１及び図２を参照して説明する。
【００１７】
図１において、符号１で示すものは、貯水タンクを構成する拍動タンクであって、既定の高さ位置に設けられている。この拍動タンク１の近傍には原水タンク２が設置されており、該原水タンク２と拍動タンク１との間には、原水供給管３が設けられている。
【００１８】
前記原水供給管３の途中には、原水給液ポンプ４及び給液バルブ５が設けられている。これら原水給液ポンプ４はソーラーパネルＳを電源とし、日射量に応じた水量を原水タンク２から拍動タンク１に供給する。
また、前記拍動タンク１には、該拍動タンク１内の水位を検出するための拍動タンク水位検出手段１０が設けられている。
【００１９】
この拍動タンク水位検出手段１０は、拍動タンク１内の水量が高水位であることを検出する満水側スイッチ１０Ａと、低水位であることを検出する空側スイッチ１０Ｂとを有し、前記原水供給制御装置Ｃ１は、該拍動タンク水位検出手段１０からの信号に基づき検出し、空側スイッチ１０Ｂが低水位を検出したＯＮの場合（図１参照）に拍動タンク１から点滴チューブ２０への水供給を停止し、また、満水側スイッチ１０Ａが高水位を検出したＯＮの場合（図２参照）に拍動タンク１から点滴チューブ２０への水供給を行う。これによって拍動タンク１内に常に水が貯留されている状態を維持する。
【００２０】
なお、拍動タンク水位検出手段１０の満水側スイッチ１０Ａ及び空側スイッチ１０Ｂは、拍動タンク１の容量等に応じて適宜、その設置高さが設定される。このとき、
満水側スイッチ１０Ａは拍動タンク１が満水となる位置の他、高水位となる位置で設置しても良く、また、空側スイッチ１０Ｂは、拍動タンク１が空となる位置の他、低水位となる位置で設置しても良い。また、前記拍動タンク１の上部には、該拍動タンク１から溢れた水を前記原水タンク２に戻すためのオーバーフロー管６が設けられている。
【００２１】
図１において、符号Ｂで示すものは高設栽培ベッドであって、該高設栽培ベッドＢの上方には、苗床に水を供給するための点滴チューブ２０が配置されている。
この点滴チューブ２０には給液管２１が接続されている。この給液管２１は、拍動タンク１と点滴チューブ２０との間に配置されるものであって、その途中には、給液ポンプ２２と給液バルブ２３とが設けられている。
これら給液ポンプ２２は、原水供給制御装置Ｃ１からの制御信号により動作され、給液バルブ２３は、給液制御装置Ｃ２からの制御信号により動作される（後述する）。
【００２２】
前記高設栽培ベッドＢの下方には、該高設栽培ベッドＢから溢れた水を貯留する排液タンク３０が設けられ、この排液タンク３０には、該排液タンク３０内の水位を検出するための排液タンク水位検出手段３１が設けられている。
【００２３】
この排液タンク水位検出手段３１は、排液タンク３０内の水量が高水位であることを検出する満水側スイッチ３１Ａと、低水位であることを検出する空側スイッチ３１Ｂとを有し、前記給液制御装置Ｃ２では、該排液タンク水位検出手段３１からの信号に基づき検出し、空側スイッチ３１Ｂが低水位を検出したＯＮの場合（図１参照）に拍動タンク１から点滴チューブ２０への水供給を行い、また、満水側スイッチ３１Ａが高水位を検出したＯＮの場合（図２参照）に拍動タンク１から点滴チューブ２０への水供給を停止する。
これによって高設栽培ベッドＢで消費されず排液タンク３０に貯留された排水量が、常に一定量を維持するように水供給量を制御する、換言すれば、高設栽培ベッドＢでの植物の水消費量に応じた点滴チューブ２０への水供給が可能となる。
なお、排液タンク水位検出手段３１の満水側スイッチ３１Ａ及び空側スイッチ３１Ｂは、排液タンク３０の容量等に応じて適宜、その設置高さが設定される。また、
このとき、満水側スイッチ３１Ａは排液タンク３０が満水となる位置の他、高水位となる位置で設置しても良く、また、空側スイッチ３１Ｂは、排液タンク３０が空となる位置の他、低水位となる位置で設置しても良い。また排液タンク３０には排液ポンプ３２が設けられていて、所定の条件で排液タンク３０内の排水を外部へ、あるいは、原水タンク２へ排出する。なお前記原水供給ポンプ４は、ソーラーパネルＳから供給される電力によって、日照量に応じた量の水を原水タンク２から拍動タンク１へ供給するが、これ以外の機器、すなわち、給液バルブ５，給液ポンプ２２、給液バルブ２３、排液ポンプ３２、および各種のスイッチ、センサ、制御機器（１０、３１、Ｃ１、Ｃ２等）は、バッテリーや商用電源から電源の供給を受け、制御装置Ｃ１あるいはＣ２からの制御信号を受けて動作するようになっている。
【００２４】
〔原水供給制御装置Ｃ１による原水タンク２から拍動タンク１への給水処理〕
ソーラーパネルＳに太陽エネルギーが供給されると、ソーラーパネルＳから供給される電力によって原水供給ポンプ４が動作し、受光された太陽エネルギーの量に応じた量の原水が原水タンク２から拍動タンク１へ水が供給される。なお、オーバーフロー管６の位置を越えて原水が供給されると、オーバーフローした原水はオーバーフロー管６を経由して原水タンク２へ戻される。原水供給ポンプ４が継続的に動作して拍動タンク１内の水位が上昇し、満水側スイッチ１０Ａがこれを検出すると、給液ポンプ２２が動作し、また、バルブ２３が開放されて拍動タンク１内の水が点滴チューブ２０へ供給される。拍動タンク１内の水が点滴チューブ２０に供給されることで減少しても、晴天日には日射量に応じてソーラーパネルからの電力で駆動される原水供給ポンプ４が駆動されていることから、拍動タンク推移検出手段１０の空側スイッチ１０Ｂが低水位を検出してＯＮになるまで（図１参照）、給水ポンプ２２により水供給は継続される。空側スイッチ１０ＢがＯＮになって低水位が検出されると給水ポンプ２２が停止し、原水供給ポンプ４からの水供給で拍動タンク１内の水位が上昇し、満水側スイッチ１０Ａが高水位を検出してＯＮになると、再び給水ポンプ２２が駆動して拍動タンク１から点滴チューブ２０への水供給が行われる。
【００２５】
〔給液制御装置Ｃ２による拍動タンク１から高設栽培ベッドＢへの給水処理〕
排液タンク水位検出手段３１の空側スイッチ３１Ｂが低水位を検出したＯＮの場合（図１参照）に、給液バルブ２３を開放して拍動タンク１から点滴チューブ２０への水供給を行い、また、満水側スイッチ３１Ａが高水位を検出したＯＮの場合（図２参照）に、給液バルブ２３を閉鎖して拍動タンク１から点滴チューブ２０への水供給を停止する。なお、給水ポンプ２２として、所定以上の吐出圧力を検出する圧力スイッチを内蔵したポンプを利用することで、給液バルブが閉鎖されると同時にポンプは自動的に停止する。
なお、晴天日には原水供給ポンプ４から拍動タンク１への水供給は継続されるが、拍動タンク１にはオーバーフロー管６が設けられているため、拍動タンク１から溢れた水は原水タンク２に速やかに戻される。
これによって高設栽培ベッドＢで消費されず排液タンク３０に貯留された排水量が、常に一定量を維持するように水供給量を制御する、すなわち、高設栽培ベッドＢにおける植物の水消費量に応じた点滴チューブ２０への水供給が可能となる。
なお、給液ポンプ２２を通じて高設栽培ベッドＢに常に適正量の水が供給されるように、排液タンク３０内の排液は、排水ポンプ３２により、例えば点滴チューブ２０への水供給の回数、又は設定した一定時間毎等の条件で外部に排水すると良い。また、このとき、排水ポンプ３２を通じて排出した排液タンク３０内の排液は、別途設けた管路及び点滴チューブ（図示略）により、高設栽培ベッドＢに供給して再利用しても良い。
【００２６】
以上詳細に説明したように本実施形態に示される自動潅水方法によれば、高設栽培ベッドＢからの排液を貯留する排液タンク３０内の水量を検出し、その検出結果に基づき、拍動タンク１内に貯留した水を、点滴チューブ２０を介して高設栽培ベッドＢに供給する。すなわち、日照量に対応しながらも、高設栽培での作物の生育状況に応じた高設栽培ベッドＢからの排液量の検出に基づき、該高設栽培ベッドＢへの最適な給水を行うことが可能となる。また、高設栽培ベッドＢからの排液を貯留する排液タンク３０内の水量を検出し、その検出結果に基づき、拍動タンク１内に貯留した水を、点滴チューブ２０を介して高設栽培ベッドＢに供給するという簡易な方式により、高設栽培での作物の生育状況に応じた最適量の給水を行なうことができ、かつ排液も最小限に抑えることができ、低コストな栽培管理が可能となる。
【００２７】
また、上記自動潅水方法が採用された自動潅水装置では、高設栽培ベッドＢからの排液を貯留する排液タンク３０と、該排液タンク３０内に貯留された排液の水位を検出する排液タンク水位検出手段３１と、該排液タンク水位検出手段３１での検出結果に基づき、前記拍動タンク１内に貯留した水を、点滴チューブ２０を介して高設栽培ベッドＢに供給する給液ポンプ２２及び給液バルブ２３と、を有するように構成したので、排液タンク水位検出手段３１により、高設栽培ベッドＢからの排液を貯留する排液タンク３０内の水量を検出し、その検出結果に基づき、給液ポンプ２２及び給液バルブ２３により、拍動タンク１内に貯留した水を、点滴チューブ２０を介して高設栽培ベッドＢに供給することができる。
すなわち、上記自動潅水方法及びその装置では、排液タンク３０、排液タンク水位検出手段３１、給液ポンプ２２及び給液バルブ２３という簡易な構成により、日照量に対応しながらも、高設栽培での作物の生育状況に応じた高設栽培ベッドＢからの排液量の検出に基づき、該高設栽培ベッドＢへの最適な給水を行うことが可能となる。
【００２８】
また、高設栽培ベッドＢからの排液を貯留する排液タンク３０内の水量を検出し、その検出結果に基づき、拍動タンク１内に貯留した水を、点滴チューブ２０を介して高設栽培ベッドＢに供給するという簡易な構成により、高設栽培での作物の生育状況に応じた最適量の給水を行なうことができ、かつ排液も最小限に抑えることができ、低コストな栽培管理が可能となる。
【００２９】
また、前記排液タンク水位検出手段３１は、前記排液タンク３０内の水量が高水位であることを検出する満水側スイッチ３１Ａと、低水位であることを検出する空側スイッチ３１Ｂとを有し、前記給液ポンプ２２及び給液バルブ２３は、前記排液タンク水位検出手段３１からの信号に基づき検出し、前記空側スイッチ３１Ｂが水位低下を検出したＯＮの場合に前記拍動タンク１から高設栽培ベッドＢへの水供給を行い、また、前記満水側スイッチ３１Ａが高水位を検出したＯＮの場合に前記拍動タンク１から高設栽培ベッドＢへの水供給を停止するように構成したので、これら排液タンク水位検出手段３１の満水側スイッチ３１Ａ及び空側スイッチ３１Ｂを適宜、最適な高さ位置に設けることで、排液を最小限に抑える給水管理も可能となり、この点においても低コスト化を図ることができる。
また、前記拍動タンク１から高設栽培ベッドＢへの水供給は、商用電源またはバッテリーを電源として開閉動作する給液バルブ２３で制御されており、拍動タンクを1.5〜２ｍの高い位置に設置することで、水の移送を水位差だけで行え給液ポンプ２２を省略することができ、外部からの電力供給が不要で配線といった設備面での構造簡素化も可能な仕組みが構成できる。
【００３０】
〔実施例〕
実際に高設栽培ベッド（長さ１２ｍ）でのトマト栽培に適用した事例では、約１０Ｌ貯水されると満水側の水位スイッチがＯＮとなるよう設定された排液タンク（３０）を用いて実験を行った。給液は、小型の給液ポンプ（２２）により点滴チューブ（２０）を介して行ったが、このとき、空側の水位スイッチ（３１Ｂ）が入り次第、給液ポンプ（２２）により給液が再開されることを確認した。なお、トマト定植後の約２ケ月間（トマト草丈は約１ｍ）で、ソーラーポンプのバルブ調節を行う必要はなかった。また、トマト栽培は培地にあらかじめ肥効調節型肥料を供給し、自動潅水装置からは水のみを給液するようにしたが、排液タンク（３０）内の排液を再給液する方式でもトマトの生育に問題はなかった。
【００３１】
なお、上記実施形態では、排液タンク水位検出手段３１として満水側スイッチ３１Ａ及び空側スイッチ３１Ｂという２個のスイッチを使用したが、このようなスイッチにフロートを組み合わせて、満水側スイッチ３１Ａ又は空側スイッチ３１ＢをＯＮしても良い。
また、排液タンク水位検出手段３１として満水側スイッチ３１Ａ及び空側スイッチ３１Ｂを用いることなく、水位センサを用いて満水又は空を検出しても良い。
【００３２】
以上、本発明の実施形態について図面を参照して詳述したが、具体的な構成はこの実施形態に限られるものではなく、本発明の要旨を逸脱しない範囲の設計変更等も含まれる。
【産業上の利用可能性】
【００３３】
本発明は、点滴潅水を行う自動潅水方法及びその装置に係り、作物の生育段階に応じた細かな給水を可能とする技術に関する。
【符号の説明】
【００３４】
１  拍動タンク
２  原水タンク
２０  点滴チューブ
２１  給液管
２２  給液ポンプ（給液手段）
２３  給液バルブ（給液手段）
３０  排液タンク
３１  排液タンク水位検出手段
３１Ａ  満水側スイッチ
３１Ｂ  空側スイッチ
Ｃ２  給液制御手段（給液手段）
Ｂ  高設栽培ベッド（栽培ベッド）
Ｓ  ソーラーパネル
【図１】
0005850360.tif 000002
【図２】
0005850360.tif 000003